(57)【要約】【課題】簡単な構造でコンパクトにまとめられながらも、折り返される部分の張力の低下により編目の大きさが大きくなって不揃いになったり、編糸が編針に掛止されなかったりするおそれもなく、メンテナンスも容易に行なうことができるテンション装置を安価に提供できるようにする。【解決手段】ニードルベッドの長手方向の両側部分にサイドテンション機構を設け、ヤーンフィーダには編糸の張力を調整する圧力空気噴射管を設け、前後に配設されたキャリッジを連結する連結部材の圧力空気噴射管の空気入口に近接する位置に空気供給源からの張力調整用空気を吐出する空気供給口を開口させ、キャリッジの往復摺動の反転により、サイドテンション機構に近付く方向に連行手段により連行されるヤーンフィーダの圧力空気噴射管に張力調整用空気を編糸の給糸方向とは逆方向に流走させるように構成した。【選択図】  図４
2008156786.tif 000002
【特許請求の範囲】
【請求項１】
針溝に編針を進退摺動可能に設けたニードルベッドをその歯口部同士を突き合わせた状態で少なくとも前後一対配設し、ヤーンフィーダを伴ってニードルベッド上を往復摺動し、編針を進退制御して編地を形成するキャリッジを備えた横編機において、ニードルベッドの長手方向の両側方若しくはニードルベッドの長手方向の両側方を支持するフレーム等の固定部材にサイドテンション機構を設け、ヤーンフィーダには編糸の張力を調整する圧力空気噴射管を設けるとともに、前後に配設されたキャリッジを連結する連結部材の圧力空気噴射管の空気入口に近接する位置に空気供給源からの張力調整用空気を吐出する空気供給口を開口させ、キャリッジの往復摺動の反転により、サイドテンション機構に近付く方向に連行手段により連行されるヤーンフィーダの圧力空気噴射管に張力調整用空気を編糸の給糸方向とは逆方向に流走させるように構成したことを特徴とする横編機における編糸のテンション装置。
【請求項２】
連行手段によるヤーンフィーダの連行動作に連動して張力調整用空気を空気供給口から空気入口に供給するように構成したことを特徴とする請求項１に記載の横編機における編糸のテンション装置。
【請求項３】
ヤーンフィーダの圧力空気噴射管の空気入口とキャリッジの連結部材の張力調整用空気を吐出する空気供給口との間に隙間を形成するようにしたことを特徴とする請求項１または請求項２に記載の横編機における編糸のテンション装置。
【請求項４】
連行手段は、連行ピンが進出してヤーンフィーダの一部に係合し、ヤーンフィーダを連行するものであって、当該連行ピンがヤーンフィーダの一部に係合する動作で空気供給口から空気入口へ張力調整用空気を供給し、連行ピンが後退してヤーンフィーダとの係合を解除したとき、空気供給口から空気入口へ張力調整用空気の供給を停止するように構成したことを特徴とする請求項２に記載の編糸のテンション装置。
【発明の詳細な説明】
【技術分野】
【０００１】
本発明は、横編機における編糸の給糸装置に関する。
【背景技術】
【０００２】
一般的な横編機では、編糸パッケージを供給源とする編糸は、編糸パッケージの上方に設けられた天バネを通過し、編機側端部に設けられたサイドテンション機構、固定糸ガイドを経て、糸道レールに移動可能に支持されたヤーンフィーダへと搬送される。
ヤーンフィーダは、ニードルベッド上を左右に往復動するキャリッジとともに連行され、編糸は、ヤーンフィーダからニードルベッド上に並設された編針に供給される。
【０００３】
このような給糸経路をとる横編機の場合には、編成時に編針に供給される編糸の張力はヤーンフィーダの移動により変化する。
例えばヤーンフィーダが左から右へ移動する際に、左側のサイドテンション機構から給糸するのが引き編成、右側のサイドテンション機構から給糸するのが押し編成である。
またヤーンフィーダが右から左へ移動する際には、右側のサイドテンション機構から給糸するのが引き編成、左側のサイドテンション機構から給糸するのが押し編成である。
引き編成では編糸に対する張力は強くなり、押し編成では編糸に対する張力は弱くなる。
【０００４】
特に、キャリッジとともにヤーンフィーダが往復摺動し、引き編成から、または編成の休止時から押し編成に変わる時には、編糸の張力は極端に低下してしまう。
これは、サイドテンション機構で編糸を引き戻そうと作用する応答性が、引き編成によりヤーンフィーダがサイドテンション機構から遠く離れると、その間の編糸の振動や静止慣性力により、低下するためである。
このために、折り返される部分の張力の低下により弛みが生じ、編目の大きさが大きくなって不揃いになったり、編糸が編針に掛止されなかったりするおそれがあるという問題があった。
【０００５】
そこで、このような往復摺動編成で、引き編成から押し編成に移行するときの張力の低下を緩和させるためのものとして、本発明の出願人が先に提案しているように、横編機の側端部に設けたサイドテンション機構側に編糸を戻す方向に回転駆動する糸送りローラをヤーンフィーダに設けた糸送り装置が知られている（特許文献１）。
この先の提案にかかるテンション装置は、編針に糸を供給する糸送りローラと、該糸送りローラを摩擦により駆動させるローラ駆動部とからなる糸送り手段を前記ヤーンフィーダに設け、ローラ駆動部は、ヤーンフィーダが糸押し側に移動している時には、糸送りローラを編針側から糸を引き戻す方向に回転させるように構成したものである。
【０００６】
こうしたものでは、ヤーンフィーダに複数のローラを組み込むとともに、これら複数のローラを駆動するために構造が複雑化するとともに、ヤーンフィーダが大型化してしまうという問題があった。
また、ヤーンフィーダを摺動可能に支持している糸道レールに摩擦面等の駆動手段を形成しなくてはならず、製造コストも高くなってしまううえ、摩擦面やローラ等に風綿が付着しないように頻繁に点検を行なわなくてはならず、メンテナンスに手間がかかるという問題もあった。
【特許文献１】特開平１０−１０２３６１号公報
【発明の開示】
【発明が解決しようとする課題】
【０００７】
本発明は上記問題点に鑑みて提案されたもので、簡単な構造でコンパクトにまとめられながらも、折り返される部分の張力の低下により編目の大きさが大きくなって不揃いになったり、編糸が編針に掛止されなかったりするおそれもなく、メンテナンスも容易に行なうことができるテンション装置を安価に提供できるようにすることを目的とするものである。
【課題を解決するための手段】
【０００８】
上記目的を達成するための本発明にかかる横編機における編糸のテンション装置は、針溝に編針を進退摺動可能に設けたニードルベッドをその歯口部同士を突き合わせた状態で少なくとも前後一対配設し、ヤーンフィーダを伴ってニードルベッド上を往復摺動し、編針を進退制御して編地を形成するキャリッジを備えた横編機において、ニードルベッドの長手方向の両側方若しくはニードルベッドの長手方向の両側方を支持するフレーム等の固定部材にサイドテンション機構を設け、ヤーンフィーダには編糸の張力を調整する圧力空気噴射管を設けるとともに、前後に配設されたキャリッジを連結する連結部材の圧力空気噴射管の空気入口に近接する位置に空気供給源からの張力調整用空気を吐出する空気供給口を開口させ、キャリッジの往復摺動の反転により、サイドテンション機構に近付く方向に連行手段により連行されるヤーンフィーダの圧力空気噴射管に張力調整用空気を編糸の給糸方向とは逆方向に流走させるように構成したことを特徴とする。
【０００９】
また本発明では、連行手段によるヤーンフィーダの連行動作に連動して張力調整用空気を空気供給口から空気入口に供給するように構成したことを特徴とする。
【００１０】
また本発明では、ヤーンフィーダの圧力空気噴射管の空気入口とキャリッジの連結部材の張力調整用空気を吐出する空気供給口との間に隙間を形成するようにしたことを特徴とする。
【００１１】
また本発明では、連行手段は、連行ピンが進出してヤーンフィーダの一部に係合し、ヤーンフィーダを連行するものであって、当該連行ピンがヤーンフィーダの一部に係合する動作で空気供給口から空気入口へ張力調整用空気を供給し、連行ピンが後退してヤーンフィーダとの係合を解除したとき、空気供給口から空気入口へ張力調整用空気の供給を停止するように構成したことを特徴とする。
【発明の効果】
【００１２】
本発明の横編機における編糸のテンション装置によれば、ヤーンフィーダに編糸の張力を調整する圧力空気噴射管を設け、往復摺動によるキャリッジの反転時、連行手段で連行されるヤーンフィーダの圧力空気噴射管に張力調整用空気を編糸の供給方向とは逆方向に流走させて編糸に張力を与えるようにしてあり、キャリッジとともにヤーンフィーダが引き編成から、または編成の休止時から押し編成に変わることにともない編糸の張力が極端に低下した時に、この編糸の張力の低下を編針の近傍のヤーンフィーダ部分で編糸の供給方向とは逆方向に流走する張力調整用空気により補正することができる。
【００１３】
これにより、ヤーンフィーダの反転時の張力の低下を編針の近傍のヤーンフィーダ部分で張力調整用空気により補正するので、応答性もよく、編針部分の編糸の張力低下による編目の大きさが大きくなって不揃いになったり、編糸が編針に係合されなかったりするのを効果的に防止することができる利点がある。
【００１４】
しかも、ヤーンフィーダには編糸の供給方向とは逆方向に張力調整用空気を流走させる流通路を形成するだけの簡単な構造で済み、ローラ形式のもののようにヤーンフィーダを大型化することなくコンパクトにまとめることができるとともに、風綿の堆積がないことから保守・点検等のメンテナンスの手間を大幅に削減することができる利点もある。
【００１５】
また本発明によれば、連行手段によりヤーンフィーダが、編糸の張力を調整している側のサイドテンションに近づく方向に連行されるときに張力調整用空気を空気供給口から空気入口に供給するので、たるみ取りに必要なときにだけ作用させることができる。
【００１６】
また本発明によれば、ヤーンフィーダの圧力空気噴射管の空気入口とキャリッジの連結部材の張力調整用空気を吐出する空気供給口とをその間に隙間を形成した状態で対峙させることにより、空気供給口から空気入口に隙間を介して非接触の状態で張力調整用空気を吹き込まれるので、空気供給口と空気入口とを連通させる機構を設けなくても済み、空気供給口と空気入口との連通構造の簡素化をはかることができる。
【００１７】
また、本発明によれば、連行手段の連行ピンが出退に連動させて空気供給口から空気入口へ張力調整用空気の供給・停止を行なうようにしたものでは、張力調整用空気の供給・停止を制御する特別な制御装置を必要とせず、その分製造コストを低減することができる利点もある。
【発明を実施するための最良の形態】
【００１８】
以下、本発明の横編機における編糸のテンション装置にかかる最も好ましい実施の形態を図面に基づいて説明する。
図１は、本発明の編糸のテンション装置を実施した横編機の概略的な正面図、図２はニードルベッド部分の側面図であり、図中符号１は横編機を全体的に示す。
【００１９】
この横編機１は、前後一対のニードルベッド２をその歯口部分３同士を突き合わせた状態の「ハ」の字形に対峙させた状態でフレーム４に配設し、ニードルベッド２の夫々には進退操作可能に編針（図示せず）を収納してある。因みに、ニードルベッド２は２枚に限らず、例えば３枚以上としても良い。
前後の各ニードルベッド２の上面には編針を進退操作するキャリッジ５が摺動可能に載置され、前後のキャリッジ５は、鞍形のゲートアーム（連結部材）６で連結されており、図外の駆動装置でニードルベッド２上を往復摺動されるとともに、ゲートアーム６にはヤーンフィーダ７を選択して連行する連行手段８が搭載されている。
【００２０】
ニードルベッド２の上方には、ニードルベッド２の長手方向に沿って４本の糸道レール９が、ニードルベッド２に並設された編針（図示せず）の先端部近傍を中心としてニードルベッド２前後方向に扇状に配置されている。
上記連行手段８は、制御装置(図示せず)からの出力信号により、突出及び退入制御されるソレノイド１０の出力軸の動きを図３に示すように、連行ピン１２に伝える伝動桿１３を備え、連行ピン１２は、スプリング１４により下降付勢されており、連行ピン１２を各ヤーンフィーダ７のフィーダケース１５の上端に形成された左右一対の係合部１６に係合させてヤーンフィーダ７が連行されるようになっている（図３及び図４参照）。
【００２１】
フレーム４には支持部材１７で、複数の糸道レール９がニードルベッド２の長手方向と平行に支持され、図２に示すように各糸道レール９の前後面にはヤーンフィーダ７が摺動自在に設けられている。
各ヤーンフィーダ７の上部中央部分に設けられた前記係合部１６に、ゲートアーム６に設けられた連行手段８の連行ピン１２が係合することでヤーンフィーダ７を選択するとともに連行する（図４参照）。
【００２２】
各糸道レール９にはヤーンフィーダ７の可動領域を制限する一対のキャリアストッパを設け、各キャリアストッパには固定糸ガイド（ともに図示せず）を設けた周知の横編機の構造になっている。
そして、横編機１の機台１８上に設けた複数の編糸パッケージ１９から引き出された編糸２０ａ・２０ｂは、編機上部に設けられた天バネ２１を通過し、編機両側端に設けたサイドテンション機構２２を経て固定糸ガイド２３を通過後、ヤーンフィーダ７の給糸口２４から編糸２０としてニードルベッド２に並設された編針に給糸されるようになっている。
【００２３】
そして、本発明にかかる横編機１における編糸のテンション装置２５は、横編機１の下部に設置された圧力空気供給源２６からの圧力空気をシリコンチューブ等の可撓性チューブ２７で、制御装置からキャリッジ５並びに連行手段８に制御用信号を伝える電線等の保護用可撓性筒状カバー（図示せず）の中を通してキャリッジ５のゲートアーム６に設けられた空気通路２８に送給され、ゲートアーム６の下面に開口する空気通路２８の空気供給口２９から後述するヤーンフィーダ７に形成された圧力空気噴射管３０の空気入口３１に供給されるようになっている。
ヤーンフィーダ７は、糸道レール９に摺動可能に支持されるフィーダケース１５と、フィーダケース１５から下端に給糸口２４が設けられている（図４参照）。
【００２４】
上記圧力空気噴射管３０は、図４及び図５に示すように、フィーダケース１５の上方に形成された連行手段８の連行ピン１２が係合する係合部１６から、下方に垂下された一本の管部分をフィーダケースの中間高さ位置で前記管部分を曲成して左右に分岐し、その左
右の両端部をそれぞれサイドテンション機構２２に向けて開口させてあり、左右に分岐させた曲成部分にはサイドテンション機構２２から導出され、開口から挿入された編糸２０ａ・２０ｂを給糸口２４に挿通させるための編糸出口３５を開口させてある。
また、圧力空気噴射管３０の空気入口３１は、空気の流入を良くするために上広がりの漏斗状に形成してある。
【００２５】
圧力空気噴射管３０の空気入口３１に空気を注入する空気供給口２９は、図４に示すようにゲートアーム６内の空気通路２８をゲートアーム６の下面の近くで左右に分岐した左右の端部に開口してあり、分岐部分を連行手段８の連行ピン１２の一部で形成した弁体３６が上下動することにより、左右の空気供給口２９とゲートアーム６内の空気通路２８とが断続されるようになっている。
【００２６】
尚、ゲートアーム６の下面で左右に開口する空気供給口２９の間隔は、弁体３６を線対称とする対称位置に設けられ、弁体３６からの距離は、連行ピン１２が突出してヤーンフィーダ７の係合部１６に係合したときに、一方の空気供給口２９と空気入口３１とが同心状に位置する距離となっている。
因みに、図４に示すように空気供給口２９と空気入口３１とは、連行ピン１２が出退する分、離間して非接触の状態となっているが、この隙間は約５ｍｍ前後ときわめて短く近接する状態であることから、空気供給口２９から空気入口３１に吹き込まれる空気の漏洩による減少は殆どない。
【００２７】
上記のように形成された編糸２０のテンション装置２５の作用を次に説明する。
図４は、キャリッジ５とともにヤーンフィーダ７が右から左に摺動して編地の左端を編成し終えて編成領域外にあるヤーンフィーダ７が左から右に反転して摺動し始める状態を示している。
ヤーンフィーダ７には左右のサイドテンション機構２２から二点鎖線図及び実線図で示すようにそれぞれ編糸２０ａ・２０ｂが給糸されており、ヤーンフィーダ７が反転すると実線図で示す右側のサイドテンション機構２２から給糸されている編糸２０ｂに対しては引き編成から押し編成となり、二点鎖線図で示す左側のサイドテンション機構２２から給糸されている編糸２０ａに対しては押し編成から引き編成となる。
【００２８】
このヤーンフィーダ７の左から右への摺動を開始する場合、先ず制御装置からの制御信号により、連行手段８の連行ピン１２が下方に突出し、ヤーンフィーダ７の右側の係合部１６に係合させる。
すると、連行ピン１２の下降により弁体３６が下降して左右の空気供給口２９とゲートアーム６内の空気通路２８とを連通させて空気通路２８内の圧力空気を左右の空気供給口２９から噴射させる。
左右の空気供給口２９の内、右側の空気供給口２９は係合部１６の上面部分が間近に位置するとともに、左側の空気供給口２９が空気入口３１の真上に位置しており、左側の空気供給口２９から噴射された圧力空気が空気入口３１に注入される。
【００２９】
空気入口３１に向けて勢いよく注入された圧力空気はヤーンフィーダ７に形成された圧力空気噴射管３０の管部分から左右に分岐された曲成部分を実線で示す編糸２０ｂの供給方向とは逆に張力調整用空気として流走し、編糸２０ｂを引き戻す方向に張力を与える。
したがって、右側のサイドテンション機構２２から遠く離れた編地の左端で引き編成から押し編成に反転するときに給糸口２４と編針との間の編糸２０の張力が極端に低下するのを補正する右側のサイドテンション機構２２の応答が間に合わないような場合でも、編糸２０が編針と給糸口２４との間で弛むのを給糸口２４の近傍のヤーンフィーダ７部分に設けた圧力空気噴射管３０の曲成部分から編糸２０ｂの供給方向とは逆に流走する張力調整用空気で引き戻して防止する。
これにより、選択されるヤーンフィーダ７が引き編成もしくは編成領域外の休止状態から押し編成に反転するときの張力低下による弛みの発生をなくして、反転時に給糸口２４と編針との間の編糸２０の弛みによる編目の大きさの不揃いや編針のフックへの給糸ミスをなくすことができる。
【００３０】
次に、編地を右端まで編成したとき、若しくは編糸２０ａ・２０ｂの切り換えのためにヤーンフィーダ７の連行が停止されるために、制御装置からの制御信号により連行手段８の連行ピン１２が上昇し、ヤーンフィーダ７の係合部１６からの係合が解除される。
すると、連行ピン１２の上昇にともなって弁体３６が上昇し、図６に示すように左右の空気供給口２９とゲートアーム６内の空気通路との連通を遮断する。
従って、編糸の張力を調整している側に近付く方向に連行手段により連行されるときに張力調整用空気が空気供給口から空気入口に供給されるので、選択されたヤーンフィーダ７の圧力空気噴射管３０にだけ張力調整用空気が供給され、弛みの発生をなくすことができる。
【００３１】
然る後、ゲートアーム６の摺動方向が図７に示すように右から左に反転し、制御装置からの制御信号により連行手段８の連行ピン１２が下降してヤーンフィーダ７の左側の係合部１６に係合すると、この連行ピン１２の下降により、前述したのと同様にして弁体３６が下降し、左右の空気供給口２９とゲートアーム６内の空気通路２８とを連通させて空気通路２８内の圧力空気を左右の空気供給口２９から噴射する。
【００３２】
上記のようにして空気通路２８の圧力空気の大部分は右側の空気供給口２９から空気入口３１に向けて勢いよく噴射される。
斯くして、空気入口３１に向けて勢いよく噴射されて注入された圧力空気はヤーンフィーダ７に形成された圧力空気噴射管３０の管部分から左右に分岐された曲成部分を編糸２０ａの供給方向とは逆に張力調整用空気として流走し、押し編成となる二点鎖線で示す編糸２０ａを引き戻す方向に張力を与えて張力が低下している給糸口２４と編針との間の編糸２０が弛むのを防止する。
これにより、選択されるヤーンフィーダ７が引き編成もしくは編成領域外の休止状態から押し編成に反転するときの張力低下による弛みの発生をなくして、反転時の編糸２０の弛みによる編目の大きさの不揃いや編針のフックへの給糸ミスをなくすことができる。
【００３３】
尚、上記実施の形態では連行手段８の連行ピン１２の一部で形成した弁体３６が上下動することにより空気通路２８と空気供給口２９とを断続するようにしてあるが、この弁体３６を電磁弁で形成し、連行ピン１２を進出させる制御信号で電磁弁を駆動制御することもできる。
この場合、電磁弁の駆動時間をタイマ等で、引き編成から押し編成に反転する際の編糸の張力の低下を補正するサイドテンション機構が応答するまでの短い時間に設定することもできる。
【００３４】
更に、上記実施の形態では編糸２０ａ・２０ｂが相通されている圧力空気噴射管３０に張力調整用空気を編糸２０ａ・２０ｂの供給方向とは逆に流すようにしてあるが従来のように糸道ガイドをヤーンフィーダ７の左右に設け、サイドテンション機構２２からこの糸道ガイドを通して給糸口２４に給糸するようにしたものでは、張力調整用空気を糸道ガイドに向けて、若しくは糸道ガイドからサイドテンション機構２２の方向に張力調整用空気を吹き付けるようにすることもできる。
くわえて、圧力空気噴射管３０は図４に示すように、下方部分で分岐して左右に曲成してあるが、こうした形状に限らず、たとえば図５中に一点鎖線図で示すように一直線状に形成することもできる
また、本発明についての好適な実施の形態を上記に示したが、本発明は上記の実施の形態に限定されるものではなく、本発明の主旨に逸脱しない範囲において実施できることはいうまでもないことである。
【図面の簡単な説明】
【００３５】
【図１】は本発明にかかる編糸のテンション装置を実施した横編機の概略的な正面図であ        る。
【図２】は本発明にかかる編糸のテンション装置を実施した横編機の一部を切り欠いた側        面図概略的な正面図である。
【図３】は本発明にかかる編糸のテンション装置を実施した横編機のヤーンフィーダ部分        の側面図である。
【図４】は本発明にかかる編糸のテンション装置の作用を説明するためのヤーンフィーダ        の概略正面図である。
【図５】は本発明にかかる編糸のテンション装置の圧力空気噴射管の斜視図である。
【図６】は本発明にかかる編糸のテンション装置の作用を説明するためのヤーンフィーダ        の概略正面図である。
【図７】は本発明にかかる編糸のテンション装置の作用を説明するためのヤーンフィーダ        の概略正面図である。
【符号の説明】
【００３６】
１・・・横編機
２・・・ニードルベッド
３・・・歯口部
４・・・フレーム
５・・・キャリッジ
６・・・ゲートアーム
７・・・ヤーンフィーダ
８・・・連行手段
１２・・・連行ピン
１６・・・係合部
２０・２０ａ・２０ｂ・・・編糸
２４・・・サイドテンション機構
２５・・・テンション装置
２６・・・圧力空気供給源
２８・・・空気通路
２９・・・空気供給口
３０・・・圧力空気噴射管
３１・・・空気入口
３６・・・弁体
【図１】
2008156786.tif 000003
【図２】
2008156786.tif 000004
【図３】
2008156786.tif 000005
【図４】
2008156786.tif 000006
【図５】
2008156786.tif 000007
【図６】
2008156786.tif 000008
【図７】
2008156786.tif 000009